(57)【要約】【課題】コストアップを抑制しつつ低圧ポンプにおけるキーとカバーとの接触を防ぐサプライポンプを提供する。【解決手段】低圧ポンプ３は、回転駆動され一端に溝９を有する回転軸５と、この回転軸５の一端の外周に嵌め込まれ、内周に回転軸５の軸方向に貫通する貫通溝１０を有し、この貫通溝１０と溝９が径方向に対向するように配される外歯歯車６と、溝９と貫通溝１０の両方に嵌り、外歯歯車６を回転軸５と一体に回転させるキー７とを備える。  ここで、溝９の底部には、溝９より軸方向長さが短い穴１５が穿たれており、キー７には穴１５と径方向に対向するキー穴１６が設けられており、穴１５とキー穴１６の両方に嵌り、キー７の一端側への移動を制限するピン１８を具備している。  これにより、回転軸５が駆動される際に衝撃を受けた場合であっても、ピン１８によりキー７が一端側に移動することが制限される。【選択図】図２
2015161206.tif 000002
【特許請求の範囲】
【請求項１】
燃料を高圧化して吐出する高圧ポンプ（２）と、この高圧ポンプ（２）に燃料を供給する低圧ポンプ（３）とを備えるサプライポンプ（１）において、
前記低圧ポンプ（３）は、
回転駆動され一端に溝（９）を有する回転軸（５）と、
この回転軸（５）の前記一端の外周に嵌め込まれ、内周に前記回転軸（５）の軸方向に貫通する貫通溝（１０）を有し、この貫通溝（１０）と前記溝（９）が径方向に対向するように配される外歯歯車（６）と、
前記溝（９）と前記貫通溝（１０）の両方に嵌り、前記外歯歯車（６）を前記回転軸（５）と一体に回転させるキー（７）と、
前記外歯歯車（６）の外周に配され、歯間容積を変化させることで燃料を吸入し高圧ポンプ（２）へと供給する内歯歯車（８）と、
前記回転軸（５）、前記外歯歯車（６）、前記内歯歯車（８）および前記キー（７）を前記一端側から覆うものであって、前記キー（７）との間に隙間を有するカバー（１３）とを備え、
前記溝（９）の底部には、前記溝（９）より軸方向長さが短い穴（１５）が穿たれており、
前記キー（７）には前記穴（１５）と径方向に対向するキー穴（１６）が設けられており、
前記穴（１５）と前記キー穴（１６）の両方に嵌り、前記キー（７）の前記一端側への移動を制限するピン（１８）を具備することを特徴とするサプライポンプ（１）。
【発明の詳細な説明】
【技術分野】
【０００１】
本発明は、エンジンに燃料を供給するサプライポンプに関する。
【背景技術】
【０００２】
従来から、燃料を高圧化して吐出する高圧ポンプと、この高圧ポンプに燃料を供給する低圧ポンプとを備えるサプライポンプが周知である。
このサプライポンプの低圧ポンプの構成として、以下に示す回転軸、外歯歯車、キー、内歯歯車およびカバーを備えるものが公知となっている。
【０００３】
ここで、回転軸は、回転駆動されるものであり、その一端に溝を有しており、外歯歯車は、回転軸の一端の外周に嵌め込まれ、内周に回転軸の軸方向に貫通する貫通溝を有し、この貫通溝と溝が径方向に対向するように配さている。そして、キーを溝と貫通溝の両方に嵌め込むことで、外歯歯車と回転軸とは一体に回転する。
また、内歯歯車は、外歯歯車の外周に配され、歯間容積を変化させることで燃料を吸入し高圧ポンプへと供給する。そして、回転軸、外歯歯車、内歯歯車およびキーは、キーとの間に隙間を有するようにカバーにより覆われている（例えば、特許文献１、２参照。）。
【０００４】
しかし、特許文献１、２の低圧ポンプにおいては、図３に示すように、キーが溝内を軸方向に移動することができてしまうため、回転軸が駆動される際の衝撃によりキーが一端側に移動し、カバーと接触してしまうことがあった。そして、カバーとキーが接触した状態のままで回転軸が回転すると接触部で削り粉が発生し、燃料内への混入、部品間での噛み込み等サプライポンプに悪影響を及ぼす問題があった。
【０００５】
なお、上記問題に対する対策として回転軸または外歯歯車にキーの一端側への移動を規制するストッパを追加することが考えられる。しかし、これらの対策では、回転軸または外歯歯車の形状を大きく変更しなければならないためコストアップを免れ得ず、ストッパ部分の追加によりサプライポンプの体格も大きくなってしまう。
また、別の対策として、キーを溝に圧入固定するものも考えられるが、この場合、寸法管理のためのコストが増加してしまう。
【先行技術文献】
【特許文献】
【０００６】
【特許文献１】特開２００３−１６１２１９号公報
【特許文献２】特開２００８−８８８４１号公報
【発明の概要】
【発明が解決しようとする課題】
【０００７】
本発明は、上記の問題点を解決するためになされたものであり、その目的は、コストアップを抑制しつつサプライポンプの低圧ポンプにおけるキーとカバーとの接触を防ぐことにある。
【課題を解決するための手段】
【０００８】
本発明によれば、サプライポンプは、燃料を高圧化して吐出する高圧ポンプと、この高圧ポンプに燃料を供給する低圧ポンプとを備える。
ここで、低圧ポンプは、以下に詳述する回転軸、外歯歯車、キー、内歯歯車およびカバーを備える。
回転軸は、回転駆動されるものであり、その一端に溝を有している。
外歯歯車は、回転軸の一端の外周に嵌め込まれ、内周に回転軸の軸方向に貫通する貫通溝を有し、この貫通溝と溝が径方向に対向するように配さている。
そして、キーを溝と貫通溝の両方に嵌め込むことで、外歯歯車と回転軸とは一体に回転する。
【０００９】
内歯歯車は、外歯歯車の外周に配され、歯間容積を変化させることで燃料を吸入し高圧ポンプへと供給する。
そして、回転軸、外歯歯車、内歯歯車およびキーは、キーとの間に隙間を有するようにカバーにより覆われている。
【００１０】
ここで、溝の底部には、溝より軸方向長さが短い穴が穿たれており、キーには穴と径方向に対向するキー穴が設けられており、穴とキー穴の両方に嵌り、キーの一端側への移動を制限するピンを具備している。
【００１１】
これにより、回転軸が駆動される際に衝撃を受けた場合であっても、ピンによりキーが一端側に移動することが制限される。
また、溝およびキーにそれぞれ穴およびキー穴を設けてピンを追加するだけであるため、コストの増加を抑制しつつ上記構成を実現できる。
このため、サプライポンプの低圧ポンプにおいて、コストアップを抑制しつつキーとカバーとの接触を防ぐことができる。
【図面の簡単な説明】
【００１２】
【図１】サプライポンプの説明図である（実施例）。
【図２】低圧ポンプの説明図である（実施例）。
【図３】低圧ポンプの説明図である（従来例）。
【発明を実施するための形態】
【００１３】
以下、発明を実施するための形態を実施例に基づいて説明する。
【実施例】
【００１４】
〔実施例の構成〕
実施例のサプライポンプの構成を、図を用いて説明する。
サプライポンプ１は、図１に示すように、燃料を高圧化して吐出する高圧ポンプ２と、この高圧ポンプ２に燃料を供給する低圧ポンプ３とを備える。
高圧化された燃料は導出管４を介して吐出され、例えば、コモンレール（図示せず。）に供給され高圧状態で蓄圧され、さらにコモンレールからインジェクタ（図示せず。）に供給され、エンジン（図示せず。）の気筒内に噴射される。
【００１５】
低圧ポンプ３は、図２（ａ）、（ｂ）に示すように回転軸５、外歯歯車６、キー７および内歯歯車８を備える。
回転軸５は、エンジンにより回転駆動されるものであり、その一端に溝９を有している。
【００１６】
外歯歯車６は、回転軸５の一端の外周に嵌め込まれ、内周に回転軸５の軸方向に貫通する貫通溝１０を有し、この貫通溝１０と溝９が径方向に対向するように配さている。
そして、キー７を溝９と貫通溝１０の両方に嵌め込むことで、外歯歯車６と回転軸５とは一体に回転する。
【００１７】
内歯歯車８は、外歯歯車６の外周に配され、歯間容積を変化させることで燃料を吸入し高圧ポンプ２へと供給する。
そして、回転軸５、外歯歯車６、内歯歯車８およびキー７は、キー７との間に隙間を有するようにカバー１３により覆われている。
【００１８】
ここで、溝９の底部には、溝９より軸方向長さが短い穴１５が穿たれており、キー７には穴１５と径方向に対向するキー穴１６が設けられており、穴１５とキー穴１６の両方に嵌り、キー７の一端側への移動を制限するピン１８を具備している。
【００１９】
〔実施例の効果〕
実施例のサプライポンプ１によれば、溝９の底部には、溝９より軸方向長さが短い穴１５が穿たれており、キー７には穴１５と径方向に対向するキー穴１６が設けられており、穴１５とキー穴１６の両方に嵌り、キー７の一端側への移動を制限するピン１８を具備している。
【００２０】
これにより、回転軸５が駆動される際に衝撃を受けた場合であっても、ピン１８によりキー７が一端側に移動することが制限される。
また、溝９およびキー７にそれぞれ穴１５およびキー穴１６を設けてピン１８を追加するだけであるため、コストの増加を抑制しつつ上記構成を実現できる。
このため、サプライポンプ１の低圧ポンプ３において、コストアップを抑制しつつキー７とカバー１３との接触を防ぐことができる。
【００２１】
なお、外歯歯車６および内歯歯車８はカバー１３と接触しても、接触面積が大きいため、圧力が分散し、それぞれカバー１３と接触した状態で回転しても接触部で削り粉が発生する虞は少ない。
【符号の説明】
【００２２】
１  サプライポンプ  ２  高圧ポンプ  ３  低圧ポンプ  ５  回転軸  ６  外歯歯車
７  キー  ８  内歯歯車  ９  溝  １０  貫通溝  １３  カバー  １５  穴  
１６  キー穴  １８  ピン
【図１】
2015161206.tif 000003
【図２】
2015161206.tif 000004
【図３】
2015161206.tif 000005